(57)【要約】プッシュプル接続には、プッシュプルブーツコネクタとアダプタが含まれ、これらは互いに接続され、ラッチ機構によって保持される。プッシュプルブーツコネクタには、コネクタハウジングと遠隔開口プッシュプルストレインリリーフブーツが含まれる。コネクタハウジングは、アダプタの嵌合面から引き離されたときに、ストレインリリーフブーツを介して、ラッチ機構を切り離す。
2021509735.tif 000002
【特許請求の範囲】
【請求項１】
近位端から遠位端まで長手方向に沿って延在するプッシュプルブーツコネクタであって、ハウジングの第１の端部に前記プッシュプルブーツコネクタの前記近位端を規定するコネクタハウジングを備えており、前記コネクタハウジングの第２の端部がストレインリリーフブーツの第１の端部に接続され、前記ストレインリリーフブーツの第２の端部が前記プッシュプルコネクタの前記遠位端を規定し、前記コネクタハウジングと前記ストレインリリーフブーツの一方においてラッチ解放ランプが設けられるプッシュプルブーツコネクタと、
前記プッシュプルブーツコネクタの前記近位端を受容するように構成されるチャネルを備えるアダプタであって、前記プッシュプルブーツコネクタが前記アダプタに対して長手方向に沿って第１の方向に移動したときに、前記プッシュプルブーツコネクタと係合するように前記アダプタの前記チャネルにラッチが配置され、それによって、前記ラッチが前記プッシュプルブーツコネクタに係合したときに、前記ラッチが前記プッシュプルブーツコネクタを前記アダプタの前記チャネルに保持するアダプタと
を備え、
前記プッシュプルブーツコネクタの前記ラッチ解放ランプは、前記プッシュプルブーツコネクタが前記第１の方向とは反対の第２の方向に前記アダプタに対して移動するときに、前記アダプタの前記ラッチを前記プッシュプルブーツコネクタから外すように構成される、プッシュプル接続部。
【請求項２】
前記ラッチ解放ランプは、前記長手方向に対して斜めであり、前記プッシュプルブーツコネクタの前記遠位端に向かって傾斜している、請求項１に記載のプッシュプル接続部。
【請求項３】
前記ラッチ解放ランプは、前記コネクタハウジング上に配置される、請求項１に記載のプッシュプル接続部。
【請求項４】
前記ラッチ解放ランプは、前記ストレインリリーフブーツのコネクタ解放アーム上に配置される、請求項１に記載のプッシュプル接続部。
【請求項５】
前記コネクタ解放アームを前記第１の方向に付勢するように構成されるばねをさらに備え、前記コネクタ解放アームは、前記コネクタハウジングに対して前記第２の方向に固定距離だけ解放位置に移動するように構成され、前記コネクタ解放アームが前記解放位置にあるときに、前記コネクタハウジング及び前記ストレインリリーフブーツは前記第２の方向に共に移動し、前記ばねは、前記コネクタ解放アームを前記解放位置からラッチ位置に戻すように構成される、請求項４に記載のプッシュプル接続部。
【請求項６】
前記アダプタの前記ラッチは、対向する一対のラッチを含む二重ラッチであり、前記プッシュプルブーツコネクタは、一対のラッチ解放ランプを含み、前記プッシュプルブーツコネクタが前記第２の方向に前記アダプタから引き出されたときに、前記一対のラッチ解放ランプの各ラッチ解放ランプは、前記プッシュプルブーツコネクタから前記対向する一対のラッチの対応するラッチを外すように構成される、請求項１に記載のプッシュプル接続部。
【請求項７】
前記コネクタハウジングは、前記ストレインリリーフブーツと前記コネクタハウジングの一方におけるクリップによって前記ストレインリリーフブーツに接続され、前記クリップは、前記ストレインリリーフブーツと前記コネクタハウジングの他方におけるクリップ嵌合面と係合し、それによって、前記コネクタハウジング及び前記ストレインリリーフブーツは、前記長手方向に沿って共に自在に移動する、請求項１に記載のプッシュプル接続部。
【請求項８】
前記コネクタハウジングは、フェルールホルダを備え、前記プッシュプルブーツコネクタは、前記コネクタハウジングの前記フェルールホルダ内にフェルールをさらに備え、前記フェルールは、光ファイバを支持及び位置合わせするように構成される、請求項１に記載のプッシュプル接続部。
【請求項９】
前記ストレインリリーフブーツは、前記ストレインリリーフブーツの前記第２の端部において輪郭縁を備える、請求項１に記載のプッシュプル接続部。
【請求項１０】
近位端から遠位端まで長手方向に沿って延在するプッシュプルブーツコネクタであって、前記プッシュプルブーツコネクタの前記近位端は、アダプタのラッチによって前記アダプタのチャネルに保持されるように構成され、前記プッシュプルブーツは、
ハウジングの第１の端部に前記プッシュプルブーツコネクタの前記近位端を規定するコネクタハウジングを備えており、前記コネクタハウジングの第２の端部がストレインリリーフブーツの第１の端部に接続され、前記ストレインリリーフブーツの第２の端部が前記プッシュプルコネクタの前記遠位端を規定し、前記コネクタハウジングと前記ストレインリリーフブーツの一方においてラッチ解放ランプが設けられ、
前記プッシュプルブーツコネクタは、前記プッシュプルブーツコネクタが前記長手方向に沿って第１の方向に前記アダプタ内に押し込まれると、前記アダプタの前記ラッチに係合するように構成され、前記ラッチ解放ランプは、前記プッシュプルブーツコネクタが前記第１の方向とは反対の第２の方向に前記アダプタから引き出されると、前記プッシュプルブーツコネクタから前記アダプタの前記ラッチを外すように構成される、プッシュプルブーツコネクタ。
【請求項１１】
前記ラッチ解放ランプは、前記長手方向に対して斜めであり、前記プッシュプルブーツコネクタの前記遠位端に向かって傾斜している、請求項１０に記載のプッシュプルブーツコネクタ。
【請求項１２】
前記ラッチ解放ランプは、前記コネクタハウジング上に配置される、請求項１０に記載のプッシュプルブーツコネクタ。
【請求項１３】
前記ラッチ解放ランプは、前記ストレインリリーフブーツのコネクタ解放アーム上に配置される、請求項１０に記載のプッシュプルブーツコネクタ。
【請求項１４】
前記コネクタ解放アームを前記第１の方向に付勢するように構成されるばねをさらに備え、前記コネクタ解放アームは、前記コネクタハウジングに対して前記第２の方向に固定距離だけ解放位置に移動するように構成され、前記コネクタ解放アームが前記解放位置にあるときに、前記コネクタハウジング及び前記ストレインリリーフブーツは前記第２の方向に共に移動し、前記ばねは、前記コネクタ解放アームを前記解放位置からラッチ位置に戻すように構成される、請求項１３に記載のプッシュプルブーツコネクタ。
【請求項１５】
前記プッシュプルブーツコネクタは、一対のラッチ解放ランプを備え、前記プッシュプルブーツコネクタが前記第２の方向に前記アダプタから引き出されたときに、前記一対のラッチ解放ランプの各ラッチ解放ランプは、前記アダプタの対向する一対のラッチの対応するラッチを前記プッシュプルブーツコネクタから外すように構成される、請求項１０に記載のプッシュプルブーツコネクタ。
【請求項１６】
前記コネクタハウジングは、前記ストレインリリーフブーツと前記コネクタハウジングの一方におけるクリップによって前記ストレインリリーフブーツに接続され、前記クリップは、前記ストレインリリーフブーツと前記コネクタハウジングの他方におけるクリップ嵌合面と係合し、それによって、前記コネクタハウジング及び前記ストレインリリーフブーツは、前記長手方向に沿って共に自在に移動する、請求項１０に記載のプッシュプルブーツコネクタ。
【請求項１７】
前記コネクタハウジングは、フェルールホルダを備え、前記プッシュプルブーツコネクタは、前記コネクタハウジングの前記フェルールホルダ内にフェルールをさらに備え、前記フェルールは、光ファイバを支持及び位置合わせするように構成される、請求項１０に記載のプッシュプルブーツコネクタ。
【請求項１８】
前記ストレインリリーフブーツは、前記ストレインリリーフブーツの前記第２の端部において輪郭縁を備える、請求項１０に記載のプッシュプルブーツコネクタ。
【発明の詳細な説明】
【技術分野】
【０００１】
本主題は、一般に、光ファイバケーブル用のコネクタに関する。
【０００２】
（関連出願の相互参照）
本願は、２０１８年８月７日に米国特許商標庁に提出された米国特許出願第１６／０５６，９０７号に基づいており、その優先権の利益を主張するものであり、その出願は、２０１８年３月９日に米国特許商標庁に提出された米国仮出願第６２／６４０，９１４号、及び２０１８年１月３日に米国特許商標庁に提出された米国仮出願第６２／６１３，２６６号の優先権の利益を主張するものであり、これらの開示は参照によりその全体が本明細書に組み込まれる。
【背景技術】
【０００３】
データセンタは、ヘッドエンド、サーバ、又は主配線盤（ＭＤＦ）等のハブに接続された多数の、例えば、数十又は数百のケーブル、例えば、光ファイバケーブル又はその他のデータケーブルを含む場合がある。データセンタ内のスペースは非常に貴重であり、多くの場合、その密度（定義された空間内の接続数）によって、光ファイバケーブルをハブに接続するために使用可能なコネクタのタイプが制限される。一般的なコネクタ設計の１つは、ＬＣコネクタと呼ばれている。しかしながら、このようなコネクタは、コネクタの物理的なサイズと利用可能な空間エンベロープにより、例えば、標準の高さが１ＲＵ（ラックユニット）の標準の１９インチ幅のパネル等、パネルあたり１４４本のファイバの数に制限される。このタイプのコネクタを取り付ける又は取り外すためのアクセスは、高密度では困難である。
【０００４】
いくつかのＬＣコネクタの設計には、取り外しを容易にするための拡張プルラッチが含まれている。しかしながら、このような拡張ラッチは、各接続が占めるデータセンタ内の貴重な空間の量を増やしてしまい得る。さらに、ラッチ機構は、ユーザの手や指等で直接操作する必要があるため、アクセス性が依然として問題となる。
【０００５】
したがって、様々なコネクタのタイプについて、ラッチ機構を解放するためのアクセス性の改善等、ラッチ機能の改善が望まれている。
【発明の概要】
【０００６】
本発明の態様及び利点は、一部は以下の説明に記載されているか、又は説明から明らかであるか、又は本発明の実施を通じて学習されてもよい。
【０００７】
第１の例示的な実施形態では、プッシュプル接続部が提供される。プッシュプル接続は、近位端から遠位端まで長手方向に沿って延在するプッシュプルブーツコネクタを含む。プッシュプルブーツコネクタは、ハウジングの第１の端部でプッシュプルブーツコネクタの近位端を規定するコネクタハウジングを含む。コネクタハウジングの第２の端部が、ストレインリリーフブーツの第１の端部に接続される。ストレインリリーフブーツの第２の端部が、プッシュプルコネクタの遠位端を規定する。ラッチ解放ランプが、コネクタハウジングとストレインリリーフブーツの一方に設けられる。プッシュプル接続部は、プッシュプルブーツコネクタの近位端を受容するように構成されるチャネルを有するアダプタも含む。また、アダプタは、プッシュプルブーツコネクタがアダプタに対して長手方向に沿って第１の方向に移動するときにプッシュプルブーツコネクタと係合するように、アダプタのチャネル内に配置されるラッチを含む。ラッチがプッシュプルブーツコネクタに係合すると、ラッチはプッシュプルブーツコネクタをアダプタのチャネルに保持する。プッシュプルブーツコネクタのラッチ解放ランプは、プッシュプルブーツコネクタが第１の方向とは反対の第２の方向にアダプタに対して移動するときに、プッシュプルブーツコネクタからアダプタのラッチを外すように構成される。
【０００８】
第２の例示的な実施形態では、プッシュプルブーツコネクタが提供される。プッシュプルブーツコネクタは、長手方向に沿って近位端から遠位端まで延在する。プッシュプルブーツコネクタの近位端は、アダプタのラッチによってアダプタのチャネルに保持されるように構成される。プッシュプルブーツコネクタは、ハウジングの第１の端部でプッシュプルブーツコネクタの近位端を規定するコネクタハウジングを含む。コネクタハウジングの第２の端部が、ストレインリリーフブーツの第１の端に接続される。ストレインリリーフブーツの第２の端部が、プッシュプルコネクタの遠位端を規定する。ラッチ解放ランプが、コネクタハウジングとストレインリリーフブーツの一方に設けられる。プッシュプルブーツコネクタは、プッシュプルブーツコネクタが長手方向に沿って第１の方向にアダプタ内に押し込まれると、アダプタのラッチに係合するように構成される。ラッチ解放ランプは、プッシュプルブーツコネクタが第１の方向とは反対の第２の方向にアダプタから引き出されるときに、プッシュプルブーツコネクタからアダプタのラッチを外すように構成される。
【０００９】
本発明のこれら及び他の特徴、態様及び利点は、以下の説明及び添付の特許請求の範囲を参照してよりよく理解されるであろう。本明細書に組み込まれ、その一部を構成する添付の図面は、本発明の実施形態を示し、説明と共に、本発明の原理を説明するのに役立つ。
【００１０】
当業者に向けられた、本発明の最良の形態を含む本発明の完全なかつそれを可能にする開示は、添付の図面を参照する本明細書に記載されている。
【図面の簡単な説明】
【００１１】
【図１】本主題の１つ以上の例示的な実施形態によるプッシュプルブーツコネクタの斜視図を示す。
【００１２】
【図２】図１の例示的なプッシュプルブーツコネクタの分解図を示す。
【００１３】
【図３】本主題の１つ以上の例示的な実施形態によるプッシュプル接続の断面図を示す。
【００１４】
【図４】図３の一部の拡大図を示す。
【００１５】
【図５】本主題の１つ以上の追加の実施形態によるプッシュプルブーツコネクタの斜視図を示す。
【００１６】
【図６】図５の例示的なプッシュプルブーツコネクタの分解図を示す。
【００１７】
【図７】本主題の１つ以上の追加の例示的な実施形態によるプッシュプル接続の断面図を示す。
【００１８】
【図８】図７の一部の拡大図を示しており、プッシュプル接続のコネクタ解放アームがラッチ位置にある。
【００１９】
【図９】図７の一部の拡大図を示しており、プッシュプル接続のコネクタ解放アームが解放位置にある。
【００２０】
【図１０】本主題の１つ以上の追加の実施形態によるプッシュプルブーツコネクタの斜視図を示す。
【００２１】
【図１１】図１０の例示的なプッシュプルブーツコネクタの分解図を示す。
【００２２】
【図１２】本主題の１つ以上の追加の例示的な実施形態によるプッシュプル接続の断面図を示す。
【００２３】
【図１３】図１２の一部の拡大図を示す。
【００２４】
【図１４】本主題の１つ以上の追加の実施形態によるプッシュプルブーツコネクタの斜視図を示す。
【００２５】
【図１５】図１４の例示的なプッシュプルブーツコネクタの分解図を示す。
【００２６】
【図１６】本主題の１つ以上の追加の例示的な実施形態によるプッシュプル接続の断面図を示す。
【００２７】
【図１７】図１６の一部の拡大図を示す。
【発明を実施するための形態】
【００２８】
次に、本発明の実施形態を詳細に参照し、その１つ以上の例示を図面に示す。各例示は、本発明の説明のために提供されており、本発明を限定するものではない。実際、当業者には、本発明の範囲又は精神から逸脱することなく、本発明に様々な修正及び変形を行うことができることが明らかであろう。例えば、一実施形態の一部として図示又は説明される特徴は、別の実施形態と共に使用して、さらに別の実施形態をもたらし得る。したがって、本発明は、添付の特許請求の範囲及びそれらの均等物の範囲に入るような修正及び変形を含むことが意図されている。
【００２９】
本明細書で使用される場合、「略」、「約」、又は「およそ」等の近似の用語は、述べられた値よりも１０パーセント大きい又は小さい範囲の値を含む。角度又は方向の文脈で使用される場合、そのような用語は、述べられた角度又は方向よりも１０度大きい又は小さい範囲を含んでおり、例えば、「略垂直」は、垂直方向に、任意の方向に、例えば、時計回り又は反時計回りに１０度までの角度を成すことを含んでいる。
【００３０】
図１は、本開示の１つの例示的な実施形態によるプッシュプルブーツコネクタ１００を示す。図２は、図１の例示的なプッシュプルブーツコネクタ１００の分解図を示す。図１及び２に示されたように、プッシュプルブーツコネクタ１００は、デュプレックスユニブーツコネクタであり、例えば、プッシュプルブーツコネクタ１００は、２つのフェルール２０８及び単一のストレインリリーフブーツ３００を含む。プッシュプルブーツコネクタ１００は、長手方向Ｌに沿って近位端１０２から遠位端１０４まで延びる。プッシュプルブーツコネクタ１００は、ハウジング２００の第１の端部２０２でプッシュプルブーツコネクタ１００の近位端１０２を規定するコネクタハウジング２００を含む。コネクタハウジング２００の第２の端部２０４は、ストレインリリーフブーツ３００の第１の端部３０２に接続され、ストレインリリーフブーツ３００の第２の端部３０４は、プッシュプルコネクタ１００の遠位端１０４を規定する。本明細書でより詳細に説明するように、ブーツ３００を引っ張ることにより、アダプタ４００からのコネクタ１００の解放が可能になる（例えば、図３及び４を参照）。したがって、コネクタ１００は、遠隔解放コネクタであってもよく、それにより、コネクタ１００を解放するためのアクセス性が改善され得る。
【００３１】
ストレインリリーフブーツ３００は、例えば、主配線盤等のハブにおいてコネクタの取り付け又は取り外しを行うようなときに、ユーザがストレインリリーフブーツ３００を把持してプッシュプルブーツコネクタ１００を接続部に押し込み、及び／又は接続部からプッシュプルブーツコネクタ１００を引き抜くことを支援するために、ストレインリリーフブーツ３００の操作を容易にする特徴を含んでもよい。例えば、そのような特徴は、ストレインリリーフブーツ３００の第２の端部３０４に又はその近くに１つ以上の隆起部３０８を含んでもよく、例えば、ストレインリリーフブーツ３００の第２の端部３０４において、ユーザの指でプッシュプルブーツコネクタ１００を把持することを支援する輪郭縁を提供し、上記のように、この第２の端部は、プッシュプルブーツコネクタ１００の遠位端１０４を規定している。したがって、プッシュプルブーツコネクタ１００は、例えば、ユーザがプッシュプルブーツコネクタ１００の近位端１０２にアクセスする必要がないという点で、遠隔解放プッシュプルブーツコネクタであってもよい。むしろ、遠隔解放コネクタ１００は、プッシュプルブーツコネクタ１００の近位端１０２における接続点から離れた、例えば、遠位にあるストレインリリーフブーツ３００を操作することによって解放され得る。
【００３２】
図１及び２に見られ得るように、プッシュプルコネクタ１００は、コネクタハウジング２００内に嵌合するフェルールホルダ２０６を含む。１つ以上のフェルール２０８は、コネクタハウジング２００のフェルールホルダ２０６内に配置されてもよい。当技術分野で一般に理解されているように、各フェルール２０８は、例えば、主配線盤のレセプタクルとフェルール２０６内の光ファイバの光接続を促進するために、光ファイバ（図示せず）を支持及び位置合わせするように構成される。フェルール２０８は、一対のばね２１０によって、例えば、プッシュプルブーツコネクタ１００の近位端１０２に向かって前方に付勢されてもよい。一対のばね２１０の各ばね２１０は、１つのフェルール２０８に対応する。
【００３３】
図２で最もよく分かるように、コネクタハウジング２００は、フェルール２０８及びその中の任意の光ファイバを支持及び／又は位置合わせするため、並びに光ファイバを含むケーブルにプッシュプルブーツコネクタ１００を取り付けるための様々な内部コンポーネントをさらに含んでもよい。例えば、そのような内部コンポーネントは、ブラケット２１２、第１のカラー２１４及び第２のカラー２１６を含んでもよい。ブラケット２１２は、例えば、内部コンポーネントがコネクタハウジング２００内に取り付けられるとき、フェルール２０８及び／又はばね２１０のすぐ遠位に配置されてもよく、その結果、ばね２１０は、ばね２１０の一端でブラケット２１２に対して、及び  ばね２１０の他端において各フェルール２０８におけるフランジに対して付勢してもよい。カラー２１４及び２１６は、フェルール２０８に受容される光ファイバを含むケーブルの開放端を受容して、プッシュプルブーツコネクタ１００内にケーブルの開放端を固定するように構成されてもよい。
【００３４】
上述したように、コネクタハウジング２００は、ストレインリリーフブーツ３００に接続される。そのような接続はクリップイン接続であってもよく、コネクタハウジング２００は、ストレインリリーフブーツ３００及びコネクタハウジング２００の一方におけるクリップによってストレインリリーフブーツ３００に接続され、このクリップは、ストレインリリーフブーツ３００とコネクタハウジング２００の他方におけるクリップ嵌合面と係合する。例えば、ストレインリリーフブーツ３００は、コネクタハウジング２００の対応する（複数の）クリップ嵌合面２１８（図１）と係合可能な１つ以上の嵌合クリップ３０６（図２）を含んでもよい。そのようなクリップイン接続によって接続される場合、それによって、コネクタハウジング２００及びストレインリリーフブーツ３００は、長手方向Ｌに沿って共に自在に移動してもよい。
【００３５】
図３に示されるように、例示的なプッシュプル接続１０は、プッシュプルブーツコネクタ１００及びアダプタ４００を含む。様々な実施形態では、プッシュプルブーツコネクタ１００は、コネクタハウジング２００及びストレインリリーフブーツ３００の一方にラッチ解放ランプ１０６も含む。例えば、図１−４に示される実施形態では、ラッチ解放ランプ１０６は、コネクタハウジング２００上に配置される。
【００３６】
アダプタ４００は、プッシュプルブーツコネクタ１００の近位端１０２を受容するように構成されるチャネル４０６と、プッシュプルブーツコネクタ１００が、長手方向Ｌに沿ってアダプタ４００に対して第１の方向１０００に、例えば、アダプタ４００のチャネル４０６内へと移動するときに、プッシュプルブーツコネクタ１００と係合するようにアダプタ４００のチャネル４０６内に配置されるラッチ４０８とを含む。例えば、図１及び２に示す実施形態では、アダプタ４００は、対向する一対のラッチ４０８を有する二重ラッチアダプタである。図３及び４に示されるように、一対のラッチ４０８は、チャネル４０６の反対側に配置され、例えば、プッシュプル接続１０が図３に示されるように配置される場合、例えば、第１のラッチ４０８は、チャネル４０６の上部に配置され、第２のラッチ４０８は、チャネル４０６の底部に配置される。ラッチ４０８は、互いに鏡像であってもよく、例えば、各ラッチ４０８は、対向する側の一方から他方のラッチ４０８に向かってチャネル４０６内に延在してもよい。各ラッチ４０８は、コネクタハウジング２００（図１及び４）の凹所又はノッチ２２０と係合してもよい。ラッチ４０８がプッシュプルブーツコネクタ１００と係合することにより、プッシュプルブーツコネクタ１００がアダプタ４００のチャネル４０６内に挿入され、例えば、押し込まれるときに、ラッチ４０８は、アダプタ４００のチャネル４０６内にプッシュプルブーツコネクタ１００を保持する。ラッチ４０８が対向する一対のラッチ４０８を含む二重ラッチである実施形態では、プッシュプルブーツコネクタ１００は、対向する一対のラッチ４０８に対応する一対のラッチ解放ランプ１０６を含んでもよい。そのような実施形態では、一対のラッチ解放ランプ１０６の各ラッチ解放ランプ１０６は、プッシュプルブーツコネクタ１００がアダプタ４００に対して第２の方向２０００に移動する場合に、例えば、プッシュプルブーツコネクタ１００がアダプタ４００から引き出されるときに、対向する一対のラッチ４０８の対応するラッチ４０８をプッシュプルブーツコネクタ１００から外すように構成されてもよい。
【００３７】
プッシュプルブーツコネクタ１００のラッチ解放ランプ１０６は、プッシュプルブーツコネクタ１００がアダプタ４００に対して第２の方向２０００に移動するときに、アダプタ４００のラッチ４０８をプッシュプルブーツコネクタ１００から外すように構成されてもよい。例えば、図２及び３で最もよく分かるように、ラッチ解放ランプ１０６は、長手方向Ｌに対して斜めであってもよく、プッシュプルブーツコネクタ１００の遠位端１０４に向かって傾斜してもよい。ラッチ解放ランプ１０６は、ラッチ解放ランプ１０６の近位端における高点からラッチ解放ランプ１０６の遠位端の低点まで延在してもよく、ラッチ解放ランプ１０６の近位端は、例えば、プッシュプルブーツコネクタ１００の近位端１０２により近いか又はそれに向けられているラッチ解放ランプ１０６の端部であり、ラッチ解放ランプ１０６の遠位端は、例えば、プッシュプルブーツコネクタ１００の遠位端１０４により近いか又はその方向に向けられているラッチ解放ランプ１０６の端である。ラッチ解放ランプ１０６は、プッシュプルブーツコネクタ１００がアダプタ４００に対して第２の方向２０００に移動するときに、例えば、プッシュプルブーツコネクタ１００がアダプタ４００から引き出されるときに、アダプタ４００のラッチ４０８をプッシュプルブーツコネクタ１００から外すために、ラッチ４０８の略反対側に向けられるか、又は傾斜されてもよい。
【００３８】
図５−９は、プッシュプルブーツコネクタ１００がデュプレックスユニブーツコネクタである本主題の追加の実施形態を示している。図６に示されるように、プッシュプルブーツコネクタ１００は、光ファイバケーブルのジャケット又は強度部材に対するクリンプとして機能するカラー２１４を含んでもよい。いくつかの実施形態では、例えば、図７−９に示されるように、ラッチ４０８は、単一のラッチであってもよい。また、図示されたように、ラッチ４０８は、チャネル４０６内の板ばねとして設けられてもよい。図７−９の板ばねラッチ４０８は、図示されるように、単一のラッチ４０８として設けられるか、又は他の実施形態では、二重ラッチとして設けられてもよい。例えば、図３、４、１２、１３、１６及び／又は１７に示された１つ以上の二重ラッチ４０８も、板ばねラッチ４０８として設けられてもよい。
【００３９】
図５−９に示される実施形態では、ラッチ解放ランプ１０６は、ストレインリリーフブーツ３００上に配置される。図示されているように、ラッチ解放ランプ１０６は、ストレインリリーフブーツ３００のコネクタ解放アーム３１０上に配置される。そのような実施形態では、プッシュプルブーツコネクタ１００は、一般に、コネクタハウジング２００とストレインリリーフブーツ３００との間に、例えば、図７−９に示されているように、ストレインリリーフブーツ３００のコネクタ解放アーム３１０とコネクタハウジング２００における肩部２２２との間に配置されるばね２１０を含んでもよい。ばね２１０は、コネクタ解放アーム３１０を第１の方向１０００に付勢するように構成されてもよい。図８及び９で最も容易に分かるように、コネクタ解放アーム３１０は、第２の方向２０００にコネクタハウジング２００に対して固定距離だけ移動するように構成されてもよい。例えば、コネクタ解放アーム３１０は、例えば、ばね２１０によって、図５及び８に示されるように、ラッチされた位置に対して、又はその位置に向かって付勢されてもよい。コネクタ解放アーム３１０は、図８のラッチされた位置から図９に示されている解放位置へと固定距離だけ移動してもよい。固定距離は、コネクタハウジング２００における肩部２２２によって規定されてもよく、コネクタ解放アーム３１０は、図９に示されるように、解放位置にあるとき肩部２２２に当接する。  コネクタ解放アーム３１０が解放位置に到達すると、例えば、プッシュプルブーツコネクタ１００がアダプタ４００から引き出されると、コネクタハウジング２００及びストレインリリーフブーツ３００は、第２の方向２０００に共に移動してもよい。引張力が取り除かれると、ばね２１０は、コネクタ解放アーム３１０を第１の方向１０００に解放位置からラッチ位置へと戻すように構成されてもよい。図９に示されるように、プッシュプルブーツコネクタ１００の近位端１０２がアダプタ４００のチャネル４０６内に受容されている間にコネクタ解放アーム３１０が解放位置にある場合、ラッチ解放ランプ１０６は、ラッチ４０８をプッシュプルブーツコネクタ１００から外すために、外側に、例えば、プッシュプルブーツコネクタ１００から離れるようにラッチ４０８を付勢する。
【００４０】
いくつかの実施形態では、例えば、図１０−１３に示されるように、プッシュプルブーツコネクタ１００は、ＳＣデュプレックスユニブーツコネクタであってもよい。そのような実施形態では、例えば、図１０−１３に示されるように、ラッチ解放ランプ１０６が、プッシュプルブーツコネクタ１００のコネクタハウジング２００上に設けられてもよい。いくつかの実施形態では、ラッチ解放ランプ１０６は、コネクタハウジング２００の第１の端部２０２に近接して、フェルールホルダ２０６が受容されるコネクタハウジング２００の部分の近くに設けられてもよい。図１１に示されるように、プッシュプルブーツコネクタ１００は、２つのフェルール２０８及び２つの対応するフェルールホルダ２０６を含んでもよく、フェルール２０８は、例えば、各フェルール２０８のフランジと第１のカラー２１４との間に配置されたばね２１０によって、プッシュプルブーツコネクタ１００の近位端１０２に向かって又は前方に付勢されている。プッシュプルブーツコネクタ１００は、第１のカラー２１４の遠位のブラケット２１２と、ブラケット２１２の遠位の第２のカラー２１６とをさらに含んでもよい。カラー２１４及び２１６の一方又は両方は、フェルール２０８を経由する光ファイバを含む光ファイバケーブルの端部と係合してそれを支持するように構成されてもよい。図１２及び１３に示されるように、プッシュプルブーツコネクタ１００がアダプタ４００に対して第２の方向２０００に、例えば、図１２に示される設置位置から図１３に示される解放位置へ移動する場合に、ラッチ解放ランプ１０６は、ラッチ４０８をプッシュプルブーツから外すために、外側に、例えば、長手方向Ｌに略垂直な第３の方向３０００に沿ってプッシュプルブーツコネクタ１００から離れるようにラッチ４０８を付勢する。
【００４１】
別の例として、プッシュプルブーツコネクタ１００は、例えば、図１４−１７に示されるように、単一の光ファイバのための単一のフェルール２０８を含むＳＣシンプレックスコネクタであってもよい。そのような実施形態では、例えば、図１４−１７に示されるように、ラッチ解放ランプ１０６が、プッシュプルブーツコネクタ１００のコネクタハウジング２００上に設けられてもよい。いくつかの実施形態では、ラッチ解放ランプ１０６は、コネクタハウジング２００の第１の端部２０２に近接して、フェルールホルダ２０６が受容されるコネクタハウジング２００の部分の近くに設けられてもよい。
【００４２】
本主題は、当業者には明らかであるように、従来技術に対して多くの利点をもたらす。例えば、コネクタ本体から突出しないデュアルラッチ機能を備えた業界標準のコネクタ設計を採用しているため、接続に必要な空間を最小限に抑えることができる。これにより、１ラックユニット（１ＲＵ）の標準設置面積内でより高い密度の設置が可能になる。１ＲＵパネルの密度は、例えば最大２８８ファイバまで増やすことができる。別の例として、変種コネクタとユニブーツデザインの組み合わせは、複数のブーツを含むデザインと比較してケーブル容量を最小化する。例えば、取り付け又は取り外しが、コネクタハウジング２００へのアクセスを必要とする代わりに、コネクタブーツ３００を押すか又は引くことによって実行され得るという点で、プッシュプルブーツコネクタ１００を取り付け又は取り外すためのアクセスの容易さが向上する。ケーブルの引き回しや指のアクセスを妨げる遠隔プルラッチは含まれない。上記は、本主題が提供する可能性のある利益及び利点の単なる例示であり、決して限定するものではなく、本主題は、追加の利点を提供してもよく、本主題の実施形態は、この段落に記載された特定の例示の利点の一部又は全部を必ずしも含むとは限らない。
【００４３】
この記載は、最良の形態を含む本発明を開示し、また、任意のデバイス又はシステムの作成及び使用、並びに組み込まれた任意の方法の実行を含む、当業者が本発明を実施することを可能にするために例示を用いている。本発明の特許可能な範囲は、請求項によって定義されており、当業者が思いつく他の例を含んでもよい。そのような他の例示は、請求項の文言と異ならない構造要素を含む場合、又は請求項の文言と実質的に異ならない均等な構造要素を含む場合、請求項の範囲内にあることを意図している。
【図１】
2021509735.tif 000003
【図２】
2021509735.tif 000004
【図３】
2021509735.tif 000005
【図４】
2021509735.tif 000006
【図５】
2021509735.tif 000007
【図６】
2021509735.tif 000008
【図７】
2021509735.tif 000009
【図８】
2021509735.tif 000010
【図９】
2021509735.tif 000011
【図１０】
2021509735.tif 000012
【図１１】
2021509735.tif 000013
【図１２】
2021509735.tif 000014
【図１３】
2021509735.tif 000015
【図１４】
2021509735.tif 000016
【図１５】
2021509735.tif 000017
【図１６】
2021509735.tif 000018
【図１７】
2021509735.tif 000019
【国際調査報告】
2021509735.tif 000020
2021509735.tif 000021
2021509735.tif 000022